(57)【要約】【課題】品質責任、製造責任などの出処が明確化されて、粗悪品や不良品との区別を容易に判断することができる芝刈り用モノフィラメントの提供。【解決手段】直径が１．０〜５．０ｍｍの合成樹脂モノフィラメント１の外表面に、このモノフィラメントの出処を示す文字列２を所定の間隔毎に印刷したことを特徴とする芝刈り用モノフィラメント。【選択図】　図１
2004089145.tif 000002
【特許請求の範囲】
【請求項１】
直径が１．０〜５．０ｍｍの合成樹脂モノフィラメントの外表面に、このモノフィラメントの出処を示す文字列を所定の間隔毎に印刷したことを特徴とする芝刈り用モノフィラメント。
【請求項２】
前記合成樹脂モノフィラメントがポリアミド樹脂からなることを特徴とする請求項１に記載の芝刈り用モノフィラメント。
【請求項３】
前記文字列が、製造会社名、品名、品番および使用材料名から選ばれたいずれか１つ以上の表示を示すことを特徴とする請求項１または２に記載の芝刈り用モノフィラメント。
【発明の詳細な説明】
【０００１】
【発明の属する技術分野】
本発明は、動力回転式芝刈り機の回転刃として使用される芝刈り用モノフィラメントの改良に関するものであり、さらに詳しくは、品質責任、製造責任などの出処が明確化されて、粗悪品や不良品との区別を容易に判断することができる芝刈り用モノフィラメントに関するものである。
【０００２】
【従来の技術】
ポリアミドモノフィラメントやポリエステルモノフィラメントなどの合成樹脂モノフィラメントは、強度や耐摩耗性などの優れた特性を利用して、釣糸、漁網、抄紙、フィルター用織物、スクリーン紗、スポーツ用品、芝刈り用回転刃、楽器弦、屋外用張り線および各種ブラシ用毛材などの各種産業用途に広く利用されている。
【０００３】
そして、これら各種の用途の中で、芝刈り用回転刃とは、合成樹脂モノフィラメントの一端を回転駆動軸に捲回体として巻き込んで固定し、一定の長さに引き出された固定されていないモノフィラメントの一端を高速で振り回し回転させて、芝草や雑草に接触させることにより、芝草類を刈り払う方式の芝刈り機に装着して使用されるモノフィラメント（以下、芝刈り用モノフィラメントという）のことであり、この場合のモノフィラメントとしては、直径が１．０〜５．０ｍｍ程度のものが使用される。
【０００４】
この芝刈り用モノフィラメントとしては、他のモノフィラメントよりも優れた耐摩耗性と十分な強伸度特性を有するポリアミドモノフィラメンに対する需要が、優れた芝刈り耐久性を示すことから大半を占めている。
【０００５】
しかるに、従来の芝刈り用モノフィラメントは、捲回体から５〜２０ｃｍ程度引き出して芝刈り作業を行なうが、長時間作業を継続すると、引き出したモノフィラメントの先端が擦過摩耗して長さが短くなるため、改めて捲回体から所定の長さ分を引き出す必要がある。
【０００６】
しかし、このように改めて捲回体から所定の長さ分のモノフィラメントを引き出す場合には、使用者は回転刃の長さを以前と同様の長さに揃えるために、メジャーなどを使用して切り分けるという面倒な作業が必要であった。
【０００７】
そこで、上記のような欠点を解消した芝刈り用モノフィラメントとして、実用新案登録第３０１９１５４号には、ポリアミドモノフィラメントの外周面の単位長（例えば１ｍ）毎に、二点印としての長さマークを印刷した芝刈り用モノフィラメントが提案されている。
【０００８】
すなわち、上記の提案に記載の芝刈り用モノフィラメントによれば、単位長毎に長さマークが印刷されているため、販売者は勿論のこと、使用者もまたメジャーなどを使用することなく、モノフィラメントを容易に所定長に切断することができるのである。
【０００９】
ところで、従来の芝刈り用モノフィラメントは、モノフィラメントを巻具に巻いたりカセ巻き状として、これらを包装した状態で、農機具店やホームセンターなどの販売店で販売されており、このモノフィラメントの製造会社名、品名、品番および使用材料名などについては、包装材料に印刷されているのが一般的である。
【００１０】
したがって、従来の芝刈り用モノフィラメントを使用した芝刈り作業の実施中において、モノフィラメントに起因するトラブルが発生したとしても、包装材料を廃棄または紛失した場合には、モノフィラメントの出処やトラブル責任を判定することができず、トラブル解決のための適切な手段をとることができないという問題を生じることとなり、上記した従来の芝刈り用モノフィラメントにあっても、長さマークが印刷されているのみで出処などについては不明であることから、上記と同様の問題を依然として包含していた。
【００１１】
【特許文献１】実用新案登録第３０１９１５４号
【００１２】
【発明が解決しようとする課題】
本発明は、上述した従来技術における問題点の解決を課題として検討した結果達成されたものであり、品質責任、製造責任などの出処が明確化されて、粗悪品や不良品との区別を容易に判断することができる芝刈り用モノフィラメントの提供を目的とするものである。
【００１３】
【課題を解決するための手段】
上記の目的を達成するために、本発明の芝刈り用モノフィラメントは、直径が１．０〜５．０ｍｍの合成樹脂モノフィラメントの外表面に、このモノフィラメントの出処を示す文字列を所定の間隔毎に印刷したことを特徴とする。
【００１４】
なお、本発明の芝刈り用モノフィラメントにおいては、
前記合成樹脂モノフィラメントがポリアミド樹脂からなること、
前記文字列が、製造会社名、品名、品番および使用材料名から選ばれたいずれか１つ以上の表示を示すこと
が、いずれも好ましい条件として挙げられる。
【００１５】
【発明の実施の形態】
以下、本発明の芝刈り用モノフィラメントについて詳細に説明する。
【００１６】
本発明の芝刈り用モノフィラメントは、基本的に直径が１．０〜５．０ｍｍの合成樹脂モノフィラメントから構成されるが、合成樹脂素材には特に制限はなく、ポリアミド、ポリエステル、ポリオレフィンなどの強伸度と耐摩耗性に優れたモノフィラメントを与える素材を適宜選択使用することができる。
【００１７】
なかでも、ポリアミド、より具体的にはナイロン６、ナイロン６６、ナイロン６１０、ナイロン４６、ナイロン６１２、ナイロン１１、ナイロン１２およびナイロン６／６６共重合体などが、特にナイロン６／６６共重合体が、耐摩耗性と強伸度の優れたモノフィラメントを与えることから、好ましく使用することができる。
【００１８】
なお、合成樹脂モノフィラメントは、必要に応じて公知の有機・無機の各種添加剤、例えば各種抗酸化剤、耐侯剤、難燃剤、老化防止剤、無機顔料類、有機顔料類、滑剤および可塑剤などをを含有することができる。
【００１９】
合成樹脂モノフィラメントの製造は、従来公知の溶融紡糸、延伸、熱処理からなる手段により行なうことができるが、得られるモノフィラメントの直径は１．０〜５．０ｍｍ、特に１．５〜４．０ｍｍの範囲とする必要があり、上記の範囲未満では十分な芝草刈取能力が得られず、上記の範囲を越えるとモノフィラメントが脆くなりその耐久性が低下する傾向となるため好ましくない。
【００２０】
本発明の芝刈り用モノフィラメントにおいては、図１に示したように、モノフィラメント１の外表面に、このモノフィラメントの出処を示す文字列２を所定の間隔毎に印刷してなることが重要な要件である。
【００２１】
すなわち、上記文字列として、製造会社名、品名、品番および使用材料名などの出処情報を表示することによって、芝刈り作業の実施中にモノフィラメントに起因するトラブルが発生した場合であっても、モノフィラメントの出処やトラブル責任を容易に判定することができ、トラブル解決のための適切な手段をとることができる。また、上記文字列を、例えば２０ｃｍ、３０ｃｍ、５０ｃｍまたは１ｍなどの所定の等間隔毎に印刷しておくことによって、販売者は勿論のこと、使用者もまたメジャーなどを使用することなく、モノフィラメントを容易に所定長に切断することも可能となる。
【００２２】
上記文字列は、一定の速度で走行しているモノフィラメントに対し、転写方式やインクジェット方式の印刷装置により、等間隔に印刷することにより付与することができる。
【００２３】
文字列の長さ方向の巾ｄについては特に制限がなく、通常は５〜５０ｍｍ程度に形成することができる。
【００２４】
【実施例】
ナイロン６／６６（９５／５重量比）共重合体（東レ社製、Ｍ６０４１）を押出成形機（日本製鋼所社製、Ｐ６５−２５ＡＢ）に供し、２６０℃で溶融混合して、紡糸口金から押出、冷却後、３０℃の延伸浴で３．０倍に延伸し、巻き取ることにより、直径２．４ｍｍのポリアミドモノフィラメントを製造した。
【００２５】
このポリアミドモノフィラメントを製造する際に、巻取機の前方にインクジェットプリンターを配置し、モノフィラメントの表面に巾９．０ｍｍの「東レ・モノ（株）」という文字列を、２０ｃｍ毎に印刷した。
【００２６】
このポリアミドモノフィラメントを長さ４．０ｍに切断して、これを刈払機の収納ケースに巻き付け、収納ケースから１０ｃｍを引き出した状態で芝草刈取作業を１時間継続した結果、引き出したモノフィラメントの４ｃｍ長さ分が摩耗していた。
【００２７】
数日後、改めて芝草刈取作業を行なうに際し、上記文字列を目安として、収納ケースからさらに４ｃｍ分のモノフィラメントを、メジャーを使用することなく引き出した。
【００２８】
この結果、新たに引き出した部分のモノフィラメント表面には、「東レ・モノ（株）」との文字列を明確に判読することができ、その出処を容易に判定することができた。
【００２９】
【発明の効果】
以上説明したように、本発明の芝刈り用モノフィラメントによれば、文字列として製造会社名、品名、品番および使用材料名などの出処情報を表示することによって、芝刈り作業の実施中にモノフィラメントに起因するトラブルが発生した場合であっても、モノフィラメントの出処やトラブル責任、および粗悪品や不良品との区別を容易に判定することができ、トラブル解決のための適切な手段をとることができる。
【００３０】
また、上記文字列を所定の等間隔毎に印刷しておくことによって、販売者は勿論のこと、使用者もまたメジャーなどを使用することなく、モノフィラメントを容易に所定長に切断することが可能となる。
【図面の簡単な説明】
【図１】図１は本発明の芝刈り用モノフィラメントの一例を示す拡大正面図である。
【符号の説明】
１　モノフィラメント
２　文字列
【図１】
2004089145.tif 000003